(57)【要約】  ピアツーピアネットワークのコンテンツにアクセスする方法及びシステムの記述は、ピアによってディレクトリーサービスからコンテンツの使用可能性を含むコンテンツリストを受け取ること、ピアによってディレクトリーサービスからコンテンツを要求すること、及び第２のピアに関連する第２のパーソナルネットワーク記憶領域から要求元のピアに関連する第１のパーソナルネットワーク記憶領域へ要求されたコンテンツをダウンロードすることを含む。ここで、第１及び第２のパーソナルネットワーク記憶領域は、アクセスネットワーク内のサーバーによって管理される。又、ピアツーピアネットワークのコンテンツにアクセスする方法及びシステムの記述は、ピア情報及びコンテンツの使用可能性情報をディレクトリーサービスにより受け取ること、ピア情報及びコンテンツの使用可能性情報をディレクトリーサービスにより掲示すること、ピアからのコンテンツの要求をディレクトリーサービスにより受け取ること、及びピアに関連するパーソナルネットワーク記憶領域を有するパーソナルネットワークサーバーを指示して第２ピアに関連するパーソナルネットワーク記憶領域から要求元ピアに関連するパーソナルネットワーク記憶領域へコンテンツを転送させることを含む。
2009527844.tif 000002
【特許請求の範囲】
【請求項１】
ピアツーピアネットワークのコンテンツにアクセスする方法であって：
ピアによってディレクトリーサービスからコンテンツの使用可能性を含むコンテンツリストを受け取るステップ；
前記ピアによって、前記ディレクトリーサービスからコンテンツを要求するステップ；及び
第２ピアに関連する第２パーソナルネットワーク記憶領域から前記要求されたコンテンツを前記要求元ピアに関連する第１パーソナルネットワーク記憶領域へダウンロードするステップを含み、前記第１及び第２パーソナルネットワーク記憶領域が、アクセスネットワーク内でサーバーによって管理される方法。
【請求項２】
請求項１記載の方法であって、ディレクトリーサービスへの及びディレクトリーサービスでのコンテンツ使用可能性情報及びピア情報を提供するステップを更に含む方法。
【請求項３】
請求項１に記載の方法であって、前記コンテンツリストがアクセスプロトコルを介するアクセスである方法。
【請求項４】
請求項１記載の方法であって、前記コンテンツ要求が、ディレクトリーサービスからのライセンス購入及び前記ディレクトリーサービスによって提供されるコントロールアクセス信用証明を伴う方法。
【請求項５】
請求項１に記載の方法であって、前記ダウンローディングが、前記要求元ピアにより遠隔的に呼び出される方法。
【請求項６】
請求項１に記載の方法であって、前記ダウンローディングがアクセスプロトコルを介す方法。
【請求項７】
請求項１に記載の方法であって、前記ダウンローディングが遅れる方法。
【請求項８】
請求項１記載の方法であって、前記ピアツーピアのネットワークが、無線ネットワークである方法。
【請求項９】
請求項１記載の方法であって、前記要求元ピア及び前記第２ピアのうちの一つにより前記関連するパーソナルネットワーク記憶装置からコンテンツを削除するステップを更に含む方法。
【請求項１０】
請求項１記載の方法であって、前記要求元ピア及び前記第２ピアのうちの一つにより前記関連するパーソナルネットワーク記憶装置からのコンテンツを更新するステップを更に含む方法。
【請求項１１】
ピアツーピアのネットワークのコンテンツにアクセスするシステムであって：
ピアによって、ディレクトリーサービスからコンテンツの使用可能性を含むコンテンツリストを受け取る手段；
前記ピアによって、前記ディレクトリーサービスからコンテンツを要求する手段；及び
第２ピアに関連する第２パーソナルネットワーク記憶領域から前記要求されたコンテンツを前記要求元ピアに関連する第１パーソナルネットワーク記憶領域にダウンロードする手段を含み、前記パーソナルネットワーク記憶領域が、アクセスネットワーク内でサーバーによって管理されるシステム。
【請求項１２】
請求項１１記載のシステムであって、ディレクトリーサービスへの及びディレクトリーサービスでコンテンツ使用可能性情報及びピア情報を提供する手段を更に含むシステム。
【請求項１３】
請求項１１記載のシステムであって、前記コンテンツリストがアクセスプロトコルを介するアクセスであるシステム。
【請求項１４】
請求項１１記載のシステムであって、前記コンテンツ要求が、ディレクトリーサービスからのライセンス購入及び前記ディレクトリーサービスによって提供されるコントロールアクセス信用証明を伴うシステム。
【請求項１５】
請求項１１記載のシステムであって、前記ダウンローディングが、前記要求元ピアにより遠隔的に呼び出されるシステム。
【請求項１６】
請求項１１記載のシステムであって、前記ダウンローディングがアクセスプロトコルを介すシステム。
【請求項１７】
請求項１１記載のシステムであって、前記ダウンローディングが遅れるシステム。
【請求項１８】
請求項１１記載のシステムであって、前記ピアツーピアのネットワークが、無線ネットワークであるシステム。
【請求項１９】
請求項１１記載のシステムであって、前記要求元ピア及び前記第２ピアのうちの一つにより前記関連するパーソナルネットワーク記憶装置からコンテンツを削除する手段を更に含むシステム。
【請求項２０】
請求項１１記載のシステムであって、前記要求元ピア及び前記第２ピアのうちの一つにより前記関連するパーソナルネットワーク記憶装置からのコンテンツを更新する手段を更に含むシステム。
【請求項２１】
請求項１記載のシステムであって、前記サーバーが、ネットワーク装置であるシステム。
【請求項２２】
ピアツーピアのネットワークのコンテンツにアクセスする方法であって：
ディレクトリーサービスによって、ピア情報及びコンテンツ使用可能性情報を受け取るステップ；
前記ディレクトリーサービスによって、前記ピア情報及び前記コンテンツ使用可能性情報を掲示するステップ；
前記ディレクトリーサービスによって、ピアからのコンテンツ要求を受け取るステップ；及び
ピアに関連したパーソナルネットワーク記憶領域を有するパーソナルネットワークサーバーに指図して前記コンテンツを第２ピアに関連したパーソナルネットワーク記憶領域から前記要求元ピアに関連したパーソナルネットワーク記憶領域へ転送させるステップを含む方法。
【請求項２３】
請求項２２記載の方法であって、前記ディレクトリーサービスが、アクセスネットワーク内のサーバーによって管理される方法。
【請求項２４】
請求項２２記載の方法であって、前記ディレクトリーサービスが、前記ピアツーピアネットワーク内のピアによって管理される方法。
【請求項２５】
請求項２２記載の方法であって、前記コンテンツ要求が、ディレクトリーサービスからのライセンス購入及び前記ディレクトリーサービスによって提供されるコントロールアクセス信用証明を伴う方法。
【請求項２６】
請求項２２記載の方法であって、前記転送が遅れる方法。
【請求項２７】
請求項２２記載の方法であって、前記ピアツーピアのネットワークが、無線ネットワークである方法。
【請求項２８】
ピアツーピアのネットワークのコンテンツにアクセスするためのシステムであって：
ディレクトリーサービスによって、ピア情報及びコンテンツ使用可能性情報を受け取る手段；
前記ディレクトリーサービスによって、前記ピア情報及び前記コンテンツ使用可能性情報を掲示するための手段；
前記ディレクトリーサービスによって、ピアからのコンテンツ要求を受け取るための手段；及び
ピアに関連したパーソナルネットワーク記憶領域を有するパーソナルネットワークサーバーに指図して前記コンテンツを第２ピアに関連したパーソナルネットワーク記憶領域から前記要求元ピアに関連したパーソナルネットワーク記憶領域へ転送させる手段を含むシステム。
【請求項２９】
請求項２８記載のシステムであって、前記ディレクトリーサービスが、アクセスネットワーク内のサーバーによって管理されるシステム。
【請求項３０】
請求項２８記載のシステムであって、前記ディレクトリーサービスが、ピアツーピアネットワーク内のピアによって管理されるシステム。
【請求項３１】
請求項２８記載のシステムであって、前記コンテンツ要求が、ディレクトリーサービスからのライセンス購入及び前記ディレクトリーサービスによって提供されるコントロールアクセス信用証明を伴うシステム。
【請求項３２】
請求項２８記載のシステムであって、前記転送が遅れるシステム。
【請求項３３】
請求項２８記載のシステムであって、前記ピアツーピアのネットワークが、無線ネットワークであるシステム。
【発明の詳細な説明】
【技術分野】
【０００１】
本発明は、ネットワークに関する。特に、ピアツーピアビデオコンテンツ配信ネットワーク上のビデオサービスの配信に関する。
【背景技術】
【０００２】
最近、ピアツーピア（Ｐ２Ｐ）コンテンツ配信は、その簡易さ、展開及び運用の低価格のお陰で、マスコミ及び娯楽産業にかなりな衝撃を与えてきた。
Ｐ２Ｐコンテンツ配信のアイデアは、ネットワークを形成するために顧客のコンピュータをピアとして利用することで、顧客の資源を使い、コンテンツは、格納されかつ配信が可能である。サービス提供者は、少額の投資と維持費で、コンテンツ配信を実現する。
【発明の開示】
【発明が解決しようとする課題】
【０００３】
ブロードバンドホームネットワークにおいて、特に、大きいサイズの高価値ビデオコンテンツ用のネットワークに使われているＰ２Ｐアプローチには主に２つの問題がある。第１の問題は、合意された規則に従いコンテンツを購入するための個人の権利の管理を保障しながら、同時に許可されていない配信を予防するというコンテンツの保護の問題である。コンテンツの所有者は、彼らの貴重なコンテンツが消費者のコンピュータに格納されることを許可することは気が進まないであろう。消費者のコンピュータに格納されたコンテンツは、より容易に他の装置にコピーされ又転送されうる。第２の問題は、アップリンクがネックとなる問題である。Ｐ２Ｐアプローチは、消費者の装置とアクセスネットワークとの間で対称的ネットワークトラヒック負荷を生成する。図１に示すようにアップリンクトラヒック負荷は、ピアー２及びピアー３からのファイルーＡ及びファイルーＢの合計であり、それはピアー１へのダウンリンクトラヒック負荷と全く同じである。Ｐ２Ｐサービスが提供されている時、アクセスネットワークへの/からの全体のトラヒック負荷は、釣り合っていなければならない（対称トラヒック負荷）。しかし、アクセスネットワーク容量は、アップリンク及びダウンリンクトラヒック負荷に関し、釣り合っていない（非対称容量）。ケーブル及びＤＳＬネットワークについては、それらはウエッブダウンローディング/ストリーミングアプリケーションのためのインターネットアクセスを支援するように設計されているので、ダウンリンク容量のアップリンク容量に対する比率は非常に大きく、例えば１０：１以上である。ビデオコンテンツの大きいサイズが原因で、アクセスネットワークのアップリンク容量は、Ｐ２Ｐサービスソルーションによって簡単に過負荷状態になりうる。
【課題を解決するための手段】
【０００４】
本発明においては、ピア記憶装置間でコンテンツを交換するためのＰ２Ｐ配信技術は、アクセスネットワーク（パーソナルネットワーク記憶システムとして参照する）に存在する。パーソナルネットワーク記憶システムは、個々の加入者専用のアクセスネットワーク内に記憶領域を指定する。本発明は、アップリンクのネックとなる問題を避けながら同時に現存のＰ２Ｐ配信アルゴリズムを有利に利用している。
【０００５】
パーソナルネットワーク記憶システムは、アクセスネットワーク提供者によって提供される１つのサービスとなりうる。例えば、ネットワークＰＶＲは、パーソナルネットワーク記憶装置の１形式である。パーソナルネットワーク記憶装置は、論理的にピアリングコンピュータ（peering computer）に属するので、それらは、Ｐ２Ｐコンテンツ配信ネットワークソルーションに対し透過的である。このように、Ｐ２Ｐコンテンツ配信ネットワークの同様の間便さ及び操作性が達成できる。
【０００６】
パーソナルネットワーク記憶装置付Ｐ２Ｐコンテンツ配信ネットワークは、従来のＰ２Ｐコンテンツ配信ネットワークソルーションに対し以下の有利な点を含む：（１）アップリンクのネックとなる問題の回避；（２）ピアリングコンピュータの電源を切ったあとでもコンテンツが利用できること；（３）コンテンツ保護に関しより多くの選択肢；及び（４）特にセットトップボックス（ＳＴＢ）が使われた時の費用が安いピアリング装置。加えて、ネットワークサービス運用者がネットワーク記憶システム内に格納されたコンテンツへより統御されたアクセスをするので、彼らは、彼らのネットワーク内の海賊版コンテンツの存在を探知するためのより予測的な方法を持つことができる。
【０００７】
従来のＰ２Ｐコンテンツ配信ネットワークソルーションは、ビデオファイルのダウンローディングに比較して小さい帯域幅を要する音楽及び/又は小さいデータファイルのダウンローディングに使用される。標準画質（ＳＤ）ＤＶＤファイルは、４ＧＢ以上で、そのようなファイルのリアルタイムストリーミングレートは、１１Ｍｂｐｓが可能である。ファイルをダウンロード又はストリームすることは非常に時間がかかる。ダウンリンク容量が十分大きくても、速度は、通常ダウンリンク容量より非常に小さいアップリンク容量によって制限される。
【０００８】
ピアツーピアネットワークのコンテンツにアクセスする方法及びシステムの記述は、ピアによってディレクトリーサービスからコンテンツの使用可能性を含むコンテンツリストを受け取ること、ピアによってディレクトリーサービスからコンテンツを要求すること、及び第２のピアに関連する第２のパーソナルネットワーク記憶領域から要求元のピアに関連する第１のパーソナルネットワーク記憶領域へ要求されたコンテンツをダウンロードすることを含む。ここで、第１及び第２のパーソナルネットワーク記憶領域は、アクセスネットワーク内のサーバーによって管理される。又、ピアツーピアネットワークのコンテンツにアクセスする方法及びシステムの記述は、ピア情報及びコンテンツの使用可能性情報をディレクトリーサービスにより受け取ること、ピア情報及びコンテンツの使用可能性情報をディレクトリーサービスにより掲示すること、ピアからのコンテンツの要求をディレクトリーサービスにより受け取ること、及びピアに関連するパーソナルネットワーク記憶領域を有するパーソナルネットワークサーバーを指示して第２ピアに関連するパーソナルネットワーク記憶領域から要求元ピアに関連するパーソナルネットワーク記憶領域へコンテンツを転送させることを含む。
【発明を実施するための最良の形態】
【０００９】
本発明は添付図面を読むことにより以下の詳細な記述から、最も深く理解することができる。以下の図面中の番号付要素名は明細書中の類似要素を表す。
【００１０】
いくつかのP2Pソリューションは、コンテンツを縞状のセグメントにすることによりアップリンクのネックとなる問題を解決しようと試みてきた。そうすることによりコンテンツの各ユニットは、複数のピアにより管理(hosted)されうる。コンテンツの部分部分は、同時に複数のピアから複数のアップリンク容量を合わせたレートで１つのピアへダウンロードされる。例えば、図１で、ファイルＡ及びファイルＢは、コンテンツ１単位の２つの部分であり、ピアー１へのダウンロードレートは、ピアー２及びピアー３の組み合わされたアップリンク容量によって制限され、そのレートは、最大アップリンク容量の２倍になりうる。１つ以上のピアから同時にコンテンツをダウンロードすること自体は、全体のアップリンク容量を上げることにはならないし、２つのアップローディングピアが異なった物理的ネットワークにない限り、全体のアップロードトラヒック負荷を減らすことにならない。ビデオのような大きいサイズのコンテンツのＰ２Ｐサービスにおいて、アップリンクは、容易に過負荷になりうる。
【００１１】
ネットワークパーソナルビデオ記録器（PVRs）のようなパーソナルネットワーク記憶システムは、格納用のより高価なセットアップボックスなしで顧客がテレビ番組を記録することができるようなクライアントサーバーアーキテクチャを所有するケーブル会社によって使われてきた。例えば、オンライン写真アルバムは、顧客が自分達の写真を格納するためのパーソナルネットワーク記憶システムで、他の人々が自分たちの都合に合わせてその写真を見ることができる。
【００１２】
本発明は、Ｐ２Ｐコンテンツ配信ネットワークにおいてビデオコンテンツ配信のためのパーソナルネットワーク記憶装置を使用する。言い換えると、Ｐ２Ｐプロトコルは、ピアコンピュータの間で採用されているが、記憶装置は、アクセスネットワーク内にある。これが、アップリンクのネックとなる問題を解決し、柔軟なアクセス能力を提供する。Ｐ２Ｐネットワークは、無線配線が可能である。
【００１３】
本発明は、Ｐ２Ｐコンテンツ配信ネットワークソリューションを含み、それは、パーソナルネットワーク記憶（ＰＮＳ）システム（アクセスネットワーク内のサーバーにより働くネットワークドライブとして定義される）並びにアップローディング、ダウンローディング及び/又はストリーミング機能を実行するためのサーバーを含む。
【００１４】
コンテンツサービス提供者は、パーソナルネットワーク記憶装置付ピアのためにＰ２Ｐコンテンツ配信ネットワークを構築することができる。ＰＮＳ装置は、ネットワークドライブと考えるので、それらは、Ｐ２Ｐコンテンツ配信ネットワークプロトコルに対して透過的である。実際のコンテンツ配信がアクセスネットワーク内でＰＮＳ装置間で行われるにもかかわらず、Ｐ２Ｐプロトコルは、ピアコンピュータ間で維持される。
【００１５】
ＰＮＳ装置は、ネットワークドライブであり、それは、読み出しアクセス権については全てのピアで、書き込みアクセス権については少なくとも１の所有者で共有される。図２に示す通り、ファイルーＡは、ＰＮＳ−１からＰＮＳ−３へダウンロードされうる。ピアー３によりデータの転送が始められるが、データの転送は、ピアー３のネットワークインターフェースを介することなく、ＰＮＳ−１及びＰＮＳ−３を管理するサーバー間で直接行われる。オプションで、データ転送は、ピアー３及び/又はピアー１のネットワークインターフェースを介することなく、第３者により始められることが可能である。例えば、第３者は、コンテンツサービス提供者が位置する/管理するピアでありうる。もしコンテンツサービス提供者を管理するピアが書き込みアクセス権を持っているなら、又もしそれが必要で適切なら複数のピアを巻き込むことなく、直接コンテンツ配信を管理することができる。
【００１６】
特に、図２を参照して、Ｐ２Ｐコンテンツ配信ネットワークディレクトリーサービスは、それが各ピア及びコンテンツ使用可能性（ＰＮＳ装置で利用可能でかつピアに関連したコンテンツ）について持っている情報を継続的に更新する。例えば、ピアー２は、更新されたコンテンツの使用可能性をディレクトリーサービスに提供する。ピアー３がファイルーＡを要求する時、ファイルーＡは、ＰＮＳ−１及びＰＮＳ−３を管理するサーバー間で転送され、ついでＰＮＳ−３からピアー３に素早く流される(streamed)。
【００１７】
ピアは、アクセスネットワークのディレクトリーサービスから、例えば、ユニバーサル資源位置指定子アクセスプロトコルを介して、使用可能性を含むコンテンツリストを要求し、受け取る。それからピアは、ディレクトリーサービスを介してコンテンツを要求する。それからコンテンツは、ピア間ではなく、むしろピアに関連したパーソナルネットワーク記憶領域/装置間でダウンロードされる。即ち、コンテンツを持つピアのパーソナルネットワーク記憶領域及びコンテンツを要求するピア間である。ディレクトリーサービス及びダウンローディングは、アクセスプロトコル例えば、ユニバーサル資源位置指定子アクセスプロトコルを介して実行される。
【００１８】
通常、ドライブＥがもしネットワークドライブであったとしても、あるドライブ、例えば、ドライブＥへアクセスプロトコルを介してピアがコンテンツファイルをダウンロードしようと試みる時、コンテンツファイルは、先ずアクセスプロトコルを介してネットワークインターフェースかつネットワークへダウンロードされ、再びネットワークインターフェースを介してネットワークのドライブＥへダウンロードされる。ローカルコンピュータ上のＰ２Ｐダウンローディングプログラムは、そのインターフェースを介しての往復のトラヒックを避ける必要がある。行き先が、パーソナルネットワーク記憶システム上である時、このプログラムは、そのネットワークドライブを管理するサーバー上のダウンローディングプログラムを、そのコンテンツファイルをパーソナルネットワーク記憶システムに直接ダウンロードするために呼び出さなければならない。
【００１９】
１実施例において、ピアのパーソナルネットワーク記憶サーバーは、ＨＴＴＰサーバー及びクライアントプログラムを実行する。ピアが、コンテンツファイルをアクセスプロトコルを介してネットワークドライブ、（例えば、ドライブＥ）へダウンロードしようとする時、Ｐ２Ｐダウンローディングプログラムが実行される。これは、そのパーソナルネットワーク記憶サーバー上のＨＴＴＰサーバーにサーバー側プログラムを呼び込む。サーバー側プログラム、例えば、コンピュータが生成したインターフェース(cgi)プログラムは、アクセスプロトコルを介してコンテンツのダウンロードを引き起こし、ピアのためのネットワークドライブ、（例えば、ドライブＥ）に対応するディレクトリーに格納する。パーソナルネットワーク記憶システムのための読み出し及び書き込みアクセス権は、例えば、ＨＴＴＰアクセス制御機構によって実行されうる。
【００２０】
もう１つの実施例において、ピアのパーソナルネットワーク記憶サーバーは、ファイル転送プロトコル（ftp）サーバー及びクライアントプログラムを走らせる。Ｐ２Ｐダウンローディングプログラムは、デスティネーションサ−バー上にftpを呼び出し、ftpサーバーを走らせるソースからコンテンツファイルをダウンロードする。
【００２１】
特に、図３の参照番号１００を参照すると、パーソナルネットワーク格納サービスは、アクセスネットワークの顧客/使用者に提供される。１０１において、顧客/使用者は、パーソナルネットワーク格納サービスを予約購入する。１１０において、顧客のセットトップボックスは、P2Pコンテンツ配信ネットワーク付パーソナルネットワーク記憶装置に登録することによりピアとしてコンテンツサービスに加わる。１１１において、顧客/使用者のセットトップボックスにより提供された情報に基づき、Ｐ２Ｐコンテンツ配信ネットワークのディレクトリーサービスは、各ピアのパーソナルネットワーク記憶装置で使用可能なコンテンツをリストし、更新する。１２０において、Ｐ２Ｐコンテンツ配信ネットワークのディレクトリーサービスは、したがって、ピアのパーソナルネットワーク記憶領域/装置で動的にコンテンツのアクセスプロトコル（例えば、ユニバーサル資源位置指定子アクセスプロトコル）を提供する。１２１において、顧客/使用者が、Ｐ２Ｐコンテンツ配信ネットワークのディレクトリーサービスからライセンス及びコンテンツアクセス制御信用証明を購入することは可能である。１３０において、ピアは、品質認定されたＵＲＬ（ウエッブサイト）を介してそのパーソナルネットワーク記憶領域/装置にコンテンツ１単位をダウンローディングするクライアントプログラムを呼び出す。１３１において、コンテンツサービスサーバーは、要求されたコンテンツをダウンロードする。１４０において、ピアは、パーソナルネットワーク記憶装置に格納されたコンテンツを見る/再生するためのライセンスを持つ必要があり、かつそうするためのライセンスを購入する必要がある。１５０において、ピアはまた、そのパーソナルネットワーク記憶領域からコンテンツを削除/クリアすることができる。１５１において、いかなる削除されたコンテンツもディレクトリーサービスの更新を引き起こす。コンテンツは、すぐに又は遅れて使用可能になることに注意を向けることは、重要である。
【００２２】
パーソナルネットワーク記憶装置に基づくP2Pコンテンツ配信ネットワークにおいて、コンテンツを縞状のセグメントにすること(contents striping)は、コンテンツ配信又はアップリンクのネックとなる問題を処理するためには必要はないが、コンテンツサービス提供者は、速度の改善のような他の理由でなおコンテンツをなお、ストライプ(stripe)したい可能性がある。もしコンテンツが複数の記憶装置に跨ってストライプ(stripe)されるなら、要求者/受取人は、コンテンツをより速く得ることができる。というのは、コンテンツは、並行して引き出されるからである。
【００２３】
一度コンテンツが物理的にアクセスネットワーク内で格納され、管理されると、アクセス制御及びクライアントに基礎を置く再符号化のような他の技術を介して、より多くのコンテンツ保護が選択利用できる。
【００２４】
本発明は、例えば、移動ターミナル、アクセスポイント、携帯ネットワーク内のハードウエア、ソフトウエア、ファームウエアー、特別目的プロセッサー、又はそれらの組み合わせという種々の形式で実行することができることは、理解されなければならない。好ましくは、本発明は、ハードウエア及びソフトウエアの組み合わせとして実行される。更に、ソフトウエアは、プログラム記憶装置上に明らかに具現化したアプリーションプログラムとして好ましくは実行される。アプリーションプログラムは、如何なる適したアーキテクチャを含むマシンにでもアップロードされ、及びそれらによって実行される。好ましくは、マシンは、１以上の中央制御装置（CPU）、ランダムアクセスメモリー（RAM）、及び入出力(I/O)インターフェースのようなハードウエアを持ったコンピュータプラットフォーム上で実行される。コンピュータプラットフォームはまた、オペレーティングシステム及びマイクロインストラクションコードを含む。ここで記述された種々のプロセス及び機能は、マイクロインストラクションコードの部分か又は、アプリーションプログラム（又はそれらの組み合わせ）の部分になることができ、それらは、オペレーティングシステムを介して実行される。加えて、種々の他の周辺機器は、追加のデータ格納装置及び印刷装置のようなコンピュータプラットフォームへ接続することができる。
【００２５】
添付図中に記述されたいくつかの構成システム構成要素及び方法ステップは、好ましくはソフトウエア中で実行されるので、システム構成要素（又はプロセスステップ）間の実際の接続は、本発明がプログラムされる方法によって異なることがありうるということは、更に理解されなければならない。本明細書の記述により当業者は、本発明について、これらの又は類似の実装又は機器構成を考え出すことができるであろう。
【図面の簡単な説明】
【００２６】
【図１】従来型のピアツーピアビデオコンテンツ配信ネットワークにおけるアップリンクのネックとなっている問題を示す略図である。
【図２】本発明の原理に従ったパーソナルネットワーク記憶装置に基づくP2Pコンテンツ配信ネットワークの略図である。
【図３】本発明の原理に従ったパーソナルネットワーク記憶装置に基づくP2Pコンテンツ配信ネットワークの操作の略図である。
【図１】
2009527844.tif 000003
【図２】
2009527844.tif 000004
【図３】
2009527844.tif 000005
【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
ピアツーピアのコンテンツにアクセスする方法であって：
ピアによってディレクトリーサービスからコンテンツの使用可能性を含むコンテンツリストを受け取るステップ；
前期ピアによって、ディレクトリーサービスからコンテンツを要求するステップ；及び
前期要求されたコンテンツを第２ピアに関連する第２個人ネットワーク記憶領域から前期要求されたピアに関連する第１個人ネットワーク記憶領域で前期要求されたコンテンツを受け取るステップを含む方法。
【請求項２】
請求項１記載の方法であって、ディレクトリーサービスへの又はディレクトリーサービスでコンテンツ使用可能性情報及びピア情報を供給するステップを更に含む前記方法。
【請求項３】
請求項１に記載の方法であって、前記コンテンツリストがアクセスプロトコルを介してアクセスされ、かつ更に前期第１及び第２個人ネットワーク記憶領域が、アクセスネットワーク内のサーバーにより管理される前記方法。
【請求項４】
請求項１記載の方法であって、前記コンテンツ要求が、前期ディレクトリーサービスによって供給されるディレクトリーサービスからのライセンス購入及びコントロールアクセス信用証明書を伴う前期方法。
【請求項５】
請求項１に記載の方法であって、前期第２受け取りステップが、前期要求元ピアにより遠隔的に呼び出される前記方法。
【請求項６】
請求項１に記載の方法であって、前期第２受け取りステップがアクセスプロトコルを介す前記方法。
【請求項７】
請求項１に記載の方法であって、前期第２受け取りステップが遅れる前記方法。
【請求項８】
請求項１記載の方法であって、前期ピアツーピアのネットワークが、無線ネットワークである前記方法。
【請求項９】
請求項１記載の方法であって、前記要求ピア及び前記第２ピアのうちの一つにより前期関連する個人ネットワーク記憶装置からコンテンツを削除するステップを更に含む前記方法。
【請求項１０】
請求項１記載の方法であって、前記要求ピア及び前記第２ピアのうちの一つにより前期関連する個人ネットワーク記憶装置からのコンテンツを更新するステップを更に含む前記方法。
【請求項１１】
ピアツーピアのネットワークのコンテンツにアクセスするシステムであって：
ピアによって、ディレクトリーサービスからコンテンツの使用可能性を含むコンテンツリストを受け取る手段；
前期ピアによって、前記ディレクトリーサービスからコンテンツを要求する手段；及び
第２ピアに関連する第２個人ネットワーク記憶領域から前期要求されたコンテンツを前期要求されたピアに関連する第１個人ネットワーク記憶領域で受け取る手段を含むシステム。
【請求項１２】
請求項１１記載のシステムであって、ディレクトリーサービスへの又はディレクトリーサービスでコンテンツ使用可能性情報及びピア情報を供給する手段を更に含む前記システム。
【請求項１３】
請求項１１記載のシステムであって、前記コンテンツリストがアクセスプロトコルを介してアクセスされかつ更に前期個人ネットワーク記憶領域が、アクセスネットワーク内で、サーバーにより管理される前記システム。
【請求項１４】
請求項１１記載のシステムであって、前記コンテンツ要求が、ディレクトリーサービスからのライセンス購入及び前期ディレクトリーサービスによって供給されるコントロールアクセス信用証明書を伴う前期システム。
【請求項１５】
請求項１１記載のシステムであって、前期第２受け取り手段が、前期要求ピアにより遠隔的に呼び出される前記システム。
【請求項１６】
請求項１１記載のシステムであって、前期第２受け取り手段がアクセスプロトコルを介す前記システム。
【請求項１７】
請求項１１記載のシステムであって、前期第２受け取り手段が遅れる前記システム。
【請求項１８】
請求項１１記載のシステムであって、前期ピアツーピアのネットワークが、無線ネットワークである前記システム。
【請求項１９】
請求項１１記載のシステムであって、前記要求ピア及び前記第２ピアのうちの一つにより前期関連する個人ネットワーク記憶装置からコンテンツを削除する手段を更に含む前記システム。
【請求項２０】
請求項１１記載のシステムであって、前記要求ピア及び前記第２ピアのうちの一つにより前期関連する個人ネットワーク記憶装置からのコンテンツを更新する手段を更に含む前記システム。
【請求項２１】
請求項１記載のシステムであって、前期サーバーが、ネットワーク装置である前記システム。
【請求項２２】
ピアツーピアのネットワークのコンテンツにアクセスする方法であって：
ディレクトリーサービスによって、ピア情報及びコンテンツ使用可能性情報を受け取るステップ；
前記ディレクトリーサービスによって、前記ピア情報及び前記コンテンツ使用可能性情報を掲示するステップ；
前記ディレクトリーサービスによって、ピアからのコンテンツ要求を受け取るステップ；及び
ピアに関連した個人ネットワーク記憶領域を有する個人ネットワークサーバーに指図して前記コンテンツを第２ピアに関連した個人ネットワーク記憶領域から前記要求ピアに関連した個人ネットワーク記憶領域へ転送させるステップを含む方法。
【請求項２３】
請求項２２記載の方法であって、前記ディレクトリーサービスが、アクセスネットワーク内のサーバーによって管理される前記方法。
【請求項２４】
請求項２２記載の方法であって、前記ディレクトリーサービスが、前記ピアツーピアネットワーク内のピアによって管理される前記方法。
【請求項２５】
請求項２２記載の方法であって、前記コンテンツ要求が、ディレクトリーサービスからのライセンス購入及び前記ディレクトリーサービスによって供給されるコントロールアクセス信用証明書を伴う前記方法。
【請求項２６】
請求項２２記載の方法であって、前記転送が遅れる前記方法。
【請求項２７】
請求項２２記載の方法であって、前記ピアツーピアのネットワークが、無線ネットワークである前記方法。
【請求項２８】
ピアツーピアのネットワークのコンテンツにアクセスするためのシステムであって：
ディレクトリーサービスによって、ピア情報及びコンテンツ使用可能性情報を受け取る手段；
前記ディレクトリーサービスによって、前記ピア情報及び前記コンテンツ使用可能性情報を掲示するための手段；
前記ディレクトリーサービスによって、ピアからのコンテンツ要求を受け取るための手段；及び
ピアに関連した個人ネットワーク記憶領域を有する個人ネットワークサーバーに指図して前記コンテンツを第２ピアに関連した個人ネットワーク記憶領域から前記要求ピアに関連した個人ネットワーク記憶領域へ転送させる手段を含むシステム。
【請求項２９】
請求項２８記載のシステムであって、前記ディレクトリーサービスが、アクセスネットワーク内のサーバーによって管理される前記システム。
【請求項３０】
請求項２８記載のシステムであって、前記ディレクトリーサービスが、ピアツーピアネットワーク内のピアによって管理される前記システム。
【請求項３１】
請求項２８記載のシステムであって、前記コンテンツ要求が、ディレクトリーサービスからのライセンス購入及び前記ディレクトリーサービスによって供給されるコントロールアクセス信用証明書を伴う前記システム。
【請求項３２】
請求項２８記載のシステムであって、前記転送が遅れる前記システム。
【請求項３３】
請求項２８記載のシステムであって、前記ピアツーピアのネットワークが、無線ネットワークである前記システム。
【請求項３４】
請求項２２記載の方法であって、前記要求されたコンテンツを自動的に転送するために前記第２個人ネットワーク記憶領域を管理する前記サーバー上のダウンローディングプログラムを呼び出すステップを更に含む前記方法。
【請求項３５】
請求項２８記載のシステムであって、前記要求されたコンテンツを自動的に転送するために前記第２個人ネットワーク記憶領域を管理する前記サーバー上のダウンローディングプログラムを呼び出すための手段を更に含む前記システム。
【手続補正２】
【補正対象書類名】明細書
【補正対象項目名】０００４
【補正方法】変更
【補正の内容】
【０００４】
本発明においては、ピア記憶装置間で交換されるコンテンツのためのＰ２Ｐ配信技術は、アクセスネットワーク（個人ネットワーク記憶システムとして参照する）に存在する。個人ネットワーク記憶システムは、個々の予約購入者専用のアクセスネットワーク内に記憶領域を指定する。  本発明は、同時にアップリンクのネックとなる問題を避けるので現存のＰ２Ｐ配信アルゴリズムを有利に利用している。
【手続補正３】
【補正対象書類名】明細書
【補正対象項目名】０００６
【補正方法】変更
【補正の内容】
【０００６】
個人ネットワーク記憶装置付Ｐ２Ｐコンテンツ配信ネットワークは、従来のＰ２Ｐコンテンツ配信ネットワークソルーションに対し以下の有利な点を含む：（１）アップリンクボトルネックの回避；（２）ピアリングコンピュータの電源を切ったあとでもコンテンツが利用できること；（３）コンテンツ保護に関しより多くの選択肢；及び（４）特にセットトップボックス（ＳＴＢ）が使われた時の費用が安いピアリング装置。加えて、ネットワークサービス運用者がネットワーク記憶システム内の格納されたコンテンツへ、より統御されたアクセスができるので、彼らは、彼らのネットワーク内の海賊版コンテンツの存在を探知するためのより予測的な方法を持つことができる。
【手続補正４】
【補正対象書類名】明細書
【補正対象項目名】０００７
【補正方法】変更
【補正の内容】
【０００７】
従来のＰ２Ｐコンテンツ配信ネットワークソルーションは、音楽及び/又は小さいデータファイルのダウンローディングに使用され、それはビデオファイルのダウンローディングに比較して小さい帯域幅を要する。標準定義（ＳＤ）ＤＶＤファイルは、４ＧＢ以上で、そのようなファイルのリアルタイムストリーミングレートは、１１Ｍｂｐｓが可能である。ファイルをダウンロード又はストリームすることは非常に時間がかかる。ダウンリンク容量が十分大きくても、速度は、通常ダウンリンク容量より十分小さいアップリンク容量によって制限される。
【手続補正５】
【補正対象書類名】明細書
【補正対象項目名】００１０
【補正方法】変更
【補正の内容】
【００１０】
いくつかのP2Pソリューションは、コンテンツを縞状のセグメントにすることによりアップリンクのボトルネックの問題を解決しようと試みてきた。そうすることによりコンテンツの各ユニットは、複数のピアにより管理されうる。コンテンツの部分は、同時に複数のピアから複数のアップリンク容量を合わせたレートで１つのピアへダウンロードされる。例えば、図１で、ファイルＡ及びファイルＢは、コンテンツの１単位の２つの部分であり、ピアー１へのダウンロードレートは、ピアー２及びピアー３の組み合わされたアップリンク容量によって制限され、そのレートは、最大アップリンク容量の２倍になりうる。１つ以上のピアから同時にコンテンツをダウンロードすること自体は、全体のアップリンク容量を上げることにはならないし、２つのアップローディングピアが異なった物理的ネットワークにない限り、全体のアップロードトラヒック負荷を減らさない。ビデオのような大きいサイズのコンテンツのＰ２Ｐサービスにおいて、アップリンクは、容易に過負荷になりうる。
【手続補正６】
【補正対象書類名】明細書
【補正対象項目名】００１２
【補正方法】変更
【補正の内容】
【００１２】
本発明は、Ｐ２Ｐコンテンツ配信ネットワークにおいてビデオコンテンツ配信のための個人ネットワーク記憶装置を使用する。言い換えると、Ｐ２Ｐプロトコルは、ピアコンピュータの間で採用されているが、記憶装置は、アクセスネットワーク内にある。これが、アップリンクボトルネック問題を解決し、柔軟なアクセス能力を提供する。Ｐ２Ｐネットワークは、無線配線が可能である。
【手続補正７】
【補正対象書類名】明細書
【補正対象項目名】００１５
【補正方法】変更
【補正の内容】
【００１５】
ＰＮＳ装置は、ネットワークドライブであり、それは、読み出しアクセス権については全てのピアで、書き込みアクセス権については少なくとも１の所有者で共有される。図２に示す通り、ファイルーＡは、ＰＮＳ−１からＰＮＳ−３へダウンロードされうる。ピアー３によりデータの転送が始められるが、データの転送は、ピアー３のネットワークインターフェースを介することなく、ＰＮＳ−１及びＰＮＳ−３を管理するサーバー間で直接行われる。オプションで、データ転送は、ピアー３及び/又はピアー１のネットワークインターフェースを介することなく、第３者により始められることが可能である。例えば、第３者は、コンテンツサービス提供者が位置する/管理するピアでありうる。もしコンテンツサービス提供者を管理するピアが書き込みアクセス権を持っているなら、又もしそれが必要で適切なら複数のピアを巻き込むことなく、直接コンテンツ配信を管理することができる。
【手続補正８】
【補正対象書類名】明細書
【補正対象項目名】００１６
【補正方法】変更
【補正の内容】
【００１６】
特に、図２を参照して、Ｐ２Ｐコンテンツ配信ネットワークディレクトリーサービスは、それが各ピア及びコンテンツ使用可能性（ＰＮＳ装置で利用可能でピアに関連したコンテンツ）について持っている情報を継続的に更新する。例えば、ピアー２は、更新されたコンテンツの使用可能性をディレクトリーサービスに供給する。ピアー３がファイルーＡを要求する時、ファイルーＡは、ＰＮＳ−１及びＰＮＳ−３を管理するサーバー間で転送され、ついでＰＮＳ−３からピアー３にストリームされる。
【手続補正書】
【提出日】平成21年2月5日(2009.2.5)
【手続補正１】
【補正対象書類名】特許請求の範囲
【補正対象項目名】全文
【補正方法】変更
【補正の内容】
【特許請求の範囲】
【請求項１】
ピアツーピアのコンテンツにアクセスする方法であって：
ピアによってディレクトリーサービスからコンテンツの使用可能性を含むコンテンツリストを受け取るステップ；
前期ピアによって、ディレクトリーサービスからコンテンツを要求するステップ；及び
前期要求されたコンテンツを第２ピアに関連する第２個人ネットワーク記憶領域から前期要求されたピアに関連する第１個人ネットワーク記憶領域へと前期要求されたコンテンツを受け取り、前記第１及び第２個人ネットワーク記憶領域がアクセスネットワーク内でサーバーにより管理(host)され、前記サーバーが前記要求ピア及び前記第２ピアから離れているステップ
を含む方法。
【請求項２】
請求項１記載の方法であって、ディレクトリーサービスへの又はディレクトリーサービスでコンテンツ使用可能性情報及びピア情報を供給するステップを更に含む前記方法。
【請求項３】
前記コンテンツリストがアクセスプロトコルを介す請求項１に記載の方法。
【請求項４】
請求項１記載の方法であって、前記コンテンツ要求が、前期ディレクトリーサービスによって供給されるディレクトリーサービスからのライセンス購入及びコントロールアクセス信用証明書を伴う前期方法。
【請求項５】
請求項１に記載の方法であって、前期ダウンローディングが、前期要求元ピアにより遠隔的に呼び出される前記方法。
【請求項６】
請求項１に記載の方法であって、前期ダウンローディングがアクセスプロトコルを介す前記方法。
【請求項７】
請求項１に記載の方法であって、前期ダウンローディングが遅れる前記方法。
【請求項８】
請求項１記載の方法であって、前期ピアツーピアのネットワークが、無線ネットワークである前記方法。
【請求項９】
請求項１記載の方法であって、前記要求ピア及び前記第２ピアのうちの一つにより前期関連する個人ネットワーク記憶装置からコンテンツを削除するステップを更に含む前記方法。
【請求項１０】
請求項１記載の方法であって、前記要求ピア及び前記第２ピアのうちの一つにより前期関連する個人ネットワーク記憶装置からのコンテンツを更新するステップを更に含む前記方法。
【請求項１１】
ピアツーピアのネットワークのコンテンツにアクセスするシステムであって：
ピアによって、ディレクトリーサービスからコンテンツの使用可能性を含むコンテンツリストを受け取る手段；
前期ピアによって、前記ディレクトリーサービスからコンテンツを要求する手段；及び
第２ピアに関連する第２個人ネットワーク記憶領域から前期要求されたコンテンツを前期要求されたピアに関連する第１個人ネットワーク記憶領域へと受け取る手段を含み、前記第１及び第２個人ネットワーク記憶領域がアクセスネットワーク内でサーバーにより管理され、前記サーバーが前記要求ピア及び前記第２ピアから離れているシステム。
【請求項１２】
請求項１１記載のシステムであって、ディレクトリーサービスへの又はディレクトリーサービスでコンテンツ使用可能性情報及びピア情報を供給する手段を更に含む前記システム。
【請求項１３】
請求項１１記載のシステムであって、前記コンテンツリストがアクセスプロトコルを介すアクセスである前記システム。
【請求項１４】
請求項１１記載のシステムであって、前記コンテンツ要求が、ディレクトリーサービスからのライセンス購入及び前期ディレクトリーサービスによって供給されるコントロールアクセス信用証明書を伴う前期システム。
【請求項１５】
請求項１１記載のシステムであって、前期ダウンローディングが、前期要求ピアにより遠隔的に呼び出される前記システム。
【請求項１６】
請求項１１記載のシステムであって、前期ダウンローディングがアクセスプロトコルを介す前記システム。
【請求項１７】
請求項１１記載のシステムであって、前期ダウンローディングが遅れる前記システム。
【請求項１８】
請求項１１記載のシステムであって、前期ピアツーピアのネットワークが、無線ネットワークである前記システム。
【請求項１９】
請求項１１記載のシステムであって、前記要求ピア及び前記第２ピアのうちの一つにより前期関連する個人ネットワーク記憶装置からコンテンツを削除する手段を更に含む前記システム。
【請求項２０】
請求項１１記載のシステムであって、前記要求ピア及び前記第２ピアのうちの一つにより前期関連する個人ネットワーク記憶装置からのコンテンツを更新する手段を更に含む前記システム。
【請求項２１】
請求項１記載のシステムであって、前期サーバーが、ネットワーク装置である前記システム。
【請求項２２】
ピアツーピアのネットワークのコンテンツにアクセスする方法であって：
ディレクトリーサービスによって、ピア情報及びコンテンツ使用可能性情報を受け取るステップ；
前記ディレクトリーサービスによって、前記ピア情報及び前記コンテンツ使用可能性情報を掲示するステップ；
前記ディレクトリーサービスによって、ピアからのコンテンツ要求を受け取るステップ；及び
ピアに関連した個人ネットワーク記憶領域を有する個人ネットワークサーバーに指図して前記コンテンツを共有ピアに関連した個人ネットワーク記憶領域から前記要求ピアに関連した個人ネットワーク記憶領域へ転送させ、前記個人ネットワーク記憶領域がアクセスネットワーク内で管理され、前記個人ネットワークサーバーが前記要求ピア及び前記共有ピアから離れているステップ
を含む方法。
【請求項２３】
請求項２２記載の方法であって、前記ディレクトリーサービスが、アクセスネットワーク内のサーバーによって管理される前記方法。
【請求項２４】
請求項２２記載の方法であって、前記ディレクトリーサービスが、前記ピアツーピアネットワーク内のピアによって管理される前記方法。
【請求項２５】
請求項２２記載の方法であって、前記コンテンツ要求が、ディレクトリーサービスからのライセンス購入及び前記ディレクトリーサービスによって供給されるコントロールアクセス信用証明書を伴う前記方法。
【請求項２６】
請求項２２記載の方法であって、前記転送が遅れる前記方法。
【請求項２７】
請求項２２記載の方法であって、前記ピアツーピアのネットワークが、無線ネットワークである前記方法。
【請求項２８】
ピアツーピアのネットワークのコンテンツにアクセスするためのシステムであって：
ディレクトリーサービスによって、ピア情報及びコンテンツ使用可能性情報を受け取る手段；
前記ディレクトリーサービスによって、前記ピア情報及び前記コンテンツ使用可能性情報を掲示するための手段；
前記ディレクトリーサービスによって、ピアからのコンテンツ要求を受け取るための手段；及び
ピアに関連した個人ネットワーク記憶領域を有する個人ネットワークサーバーに指図して前記コンテンツを共有ピアに関連した個人ネットワーク記憶領域から前記要求ピアに関連した個人ネットワーク記憶領域へ転送させ、前記個人ネットワーク記憶領域がアクセスネットワーク内で管理され、前記個人ネットワークサーバーが前記要求ピア及び前記共有ピアから離れている手段を含むシステム。
【請求項２９】
請求項２８記載のシステムであって、前記ディレクトリーサービスが、アクセスネットワーク内のサーバーによって管理される前記システム。
【請求項３０】
請求項２８記載のシステムであって、前記ディレクトリーサービスが、ピアツーピアネットワーク内のピアによって管理される前記システム。
【請求項３１】
請求項２８記載のシステムであって、前記コンテンツ要求が、ディレクトリーサービスからのライセンス購入及び前記ディレクトリーサービスによって供給されるコントロールアクセス信用証明書を伴う前記システム。
【請求項３２】
請求項２８記載のシステムであって、前記転送が遅れる前記システム。
【請求項３３】
請求項２８記載のシステムであって、前記ピアツーピアのネットワークが、無線ネットワークである前記システム。
【請求項３４】
請求項２２記載の方法であって、前記要求されたコンテンツを自動的に転送するために前記第２個人ネットワーク記憶領域を管理する前記サーバー上のダウンローディングプログラムを呼び出すステップを更に含む前記方法。
【請求項３５】
請求項２８記載のシステムであって、前記要求されたコンテンツを自動的に転送するために前記第２個人ネットワーク記憶領域を管理する前記サーバー上のダウンローディングプログラムを呼び出すための手段を更に含む前記システム。
【手続補正２】
【補正対象書類名】明細書
【補正対象項目名】０００４
【補正方法】変更
【補正の内容】
【０００４】
本発明においては、ピア記憶装置間で交換されるコンテンツのためのＰ２Ｐ配信技術は、アクセスネットワーク（個人ネットワーク記憶システムとして参照する）に存在する。個人ネットワーク記憶システムは、個々の予約購入者専用のアクセスネットワーク内に記憶領域を指定する。  本発明は、同時にアップリンクのネックとなる問題を避けるので現存のＰ２Ｐ配信アルゴリズムを有利に利用している。
【手続補正３】
【補正対象書類名】明細書
【補正対象項目名】０００６
【補正方法】変更
【補正の内容】
【０００６】
個人ネットワーク記憶装置付Ｐ２Ｐコンテンツ配信ネットワークは、従来のＰ２Ｐコンテンツ配信ネットワークソルーションに対し以下の有利な点を含む：（１）アップリンクボトルネックの回避；（２）ピアリングコンピュータの電源を切ったあとでもコンテンツが利用できること；（３）コンテンツ保護に関しより多くの選択肢；及び（４）特にセットトップボックス（ＳＴＢ）が使われた時の費用が安いピアリング装置。加えて、ネットワークサービス運用者がネットワーク記憶システム内の格納されたコンテンツへ、より統御されたアクセスができるので、彼らは、彼らのネットワーク内の海賊版コンテンツの存在を探知するためのより予測的な方法を持つことができる。
【手続補正４】
【補正対象書類名】明細書
【補正対象項目名】０００７
【補正方法】変更
【補正の内容】
【０００７】
従来のＰ２Ｐコンテンツ配信ネットワークソルーションは、音楽及び/又は小さいデータファイルのダウンローディングに使用され、それはビデオファイルのダウンローディングに比較して小さい帯域幅を要する。標準定義（ＳＤ）ＤＶＤファイルは、４ＧＢ以上で、そのようなファイルのリアルタイムストリーミングレートは、１１Ｍｂｐｓが可能である。ファイルをダウンロード又はストリームすることは非常に時間がかかる。ダウンリンク容量が十分大きくても、速度は、通常ダウンリンク容量より十分小さいアップリンク容量によって制限される。
【手続補正５】
【補正対象書類名】明細書
【補正対象項目名】００１０
【補正方法】変更
【補正の内容】
【００１０】
いくつかのP2Pソリューションは、コンテンツを縞状のセグメントにすることによりアップリンクのボトルネックの問題を解決しようと試みてきた。そうすることによりコンテンツの各ユニットは、複数のピアにより管理されうる。コンテンツの部分は、同時に複数のピアから複数のアップリンク容量を合わせたレートで１つのピアへダウンロードされる。例えば、図１で、ファイルＡ及びファイルＢは、コンテンツの１単位の２つの部分であり、ピアー１へのダウンロードレートは、ピアー２及びピアー３の組み合わされたアップリンク容量によって制限され、そのレートは、最大アップリンク容量の２倍になりうる。１つ以上のピアから同時にコンテンツをダウンロードすること自体は、全体のアップリンク容量を上げることにはならないし、２つのアップローディングピアが異なった物理的ネットワークにない限り、全体のアップロードトラヒック負荷を減らさない。ビデオのような大きいサイズのコンテンツのＰ２Ｐサービスにおいて、アップリンクは、容易に過負荷になりうる。
【手続補正６】
【補正対象書類名】明細書
【補正対象項目名】００１２
【補正方法】変更
【補正の内容】
【００１２】
本発明は、Ｐ２Ｐコンテンツ配信ネットワークにおいてビデオコンテンツ配信のための個人ネットワーク記憶装置を使用する。言い換えると、Ｐ２Ｐプロトコルは、ピアコンピュータの間で採用されているが、記憶装置は、アクセスネットワーク内にある。これが、アップリンクボトルネック問題を解決し、柔軟なアクセス能力を提供する。Ｐ２Ｐネットワークは、無線配線が可能である。
【手続補正７】
【補正対象書類名】明細書
【補正対象項目名】００１５
【補正方法】変更
【補正の内容】
【００１５】
ＰＮＳ装置は、ネットワークドライブであり、それは、読み出しアクセス権については全てのピアで、書き込みアクセス権については少なくとも１の所有者で共有される。図２に示す通り、ファイルーＡは、ＰＮＳ−１からＰＮＳ−３へダウンロードされうる。ピアー３によりデータの転送が始められるが、データの転送は、ピアー３のネットワークインターフェースを介することなく、ＰＮＳ−１及びＰＮＳ−３を管理するサーバー間で直接行われる。オプションで、データ転送は、ピアー３及び/又はピアー１のネットワークインターフェースを介することなく、第３者により始められることが可能である。例えば、第３者は、コンテンツサービス提供者が位置する/管理するピアでありうる。もしコンテンツサービス提供者を管理するピアが書き込みアクセス権を持っているなら、又もしそれが必要で適切なら複数のピアを巻き込むことなく、直接コンテンツ配信を管理することができる。
【手続補正８】
【補正対象書類名】明細書
【補正対象項目名】００１６
【補正方法】変更
【補正の内容】
【００１６】
特に、図２を参照して、Ｐ２Ｐコンテンツ配信ネットワークディレクトリーサービスは、それが各ピア及びコンテンツ使用可能性（ＰＮＳ装置で利用可能でピアに関連したコンテンツ）について持っている情報を継続的に更新する。例えば、ピアー２は、更新されたコンテンツの使用可能性をディレクトリーサービスに供給する。ピアー３がファイルーＡを要求する時、ファイルーＡは、ＰＮＳ−１及びＰＮＳ−３を管理するサーバー間で転送され、ついでＰＮＳ−３からピアー３にストリームされる。
【国際調査報告】
2009527844.tif 000006
2009527844.tif 000007
2009527844.tif 000008